(57)【要約】【課題】建物設計者が入力した建築構成部材データ情報をメーカー側が必要としているコード形式の電子データ情報に変換する。【解決手段】建築構成部材タイプ選択入力手段１１が建築構成部材タイプ選択入力情報に基づいて，選択された建築構成部材タイプに応じたライブラリをライブラリ１９から抽出し，建築構成部材データ入力手段１２が，抽出されたライブラリに従って入力された建築構成部材に関するデータを建築構成部材データ２０として記録し，メーカーデータテーブル検索手段１３が，建築構成部材データ２０に基づいてメーカーデータテーブル２１を検索し，メーカーデータ変換手段１４が前記建築構成部材データをメーカーが使用するデータコードに変換し，メーカーデータ出力手段１５がメーカーデータ２４を出力する。【選択図】    図１
2004206193.tif 000002
【特許請求の範囲】
【請求項１】
建物設計者が入力した建築構成部材に関するデータをメーカーが使用するデータコードに変換する機能を持つ建築構成部材設計・製作情報一元化ＣＡＤシステムであって，
建築構成部材タイプを選択入力し，予め用意されたライブラリ群から前記選択入力された建築構成部材タイプに応じたライブラリを抽出する建築構成部材タイプ選択入力手段と，
前記抽出されたライブラリに基づいて建築構成部材に関するデータを選択入力し，前記建物設計者が使用する建物設計データの一部として建築構成部材データを記録する建築構成部材データ入力手段と，
前記入力された建築構成部材データに基づいて，メーカーデータテーブルを検索するメーカーデータテーブル検索手段と，
前記メーカーデータテーブルの検索結果に基づいて，前記建築構成部材データをメーカーが使用するデータコードに変換してメーカーデータを作成するメーカーデータ変換手段と，
前記作成されたメーカーデータを出力するメーカーデータ出力手段とを備える
ことを特徴とする建築構成部材設計・製作情報一元化ＣＡＤシステム。
【請求項２】
前記記録された建築構成部材データに基づいて，各建築構成部材に対して固有の番号を付する自動付番手段を備える
ことを特徴とする請求項１記載の建築構成部材設計・製作情報一元化ＣＡＤシステム。
【請求項３】
前記自動付番手段は，
前記入力された建築構成部材データの変更を確認する建築構成部材データ変更確認手段と，
前記記録された建築構成部材データと前記建築構成部材データの変更の確認結果とに基づいて，建築構成部材データの変更のあった建築構成部材への枝番の付番または当該建築構成部材への新たな固有の番号の付番を行う手段とを備える
ことを特徴とする請求項２記載の建築構成部材設計・製作情報一元化ＣＡＤシステム。
【請求項４】
建物設計者が入力した建築構成部材データをメーカーが使用するデータコードに変換する建築構成部材設計・製作情報一元化ＣＡＤシステムを実現するプログラムであって，
建築構成部材タイプを選択入力し，予め用意されたライブラリ群から前記選択入力された建築構成部材タイプに応じたライブラリを抽出する建築構成部材タイプ選択入力処理と，
前記抽出されたライブラリに基づいて建築構成部材データを選択入力し，前記建物設計者が使用する建物設計データの一部として建築構成部材データを記録する建築構成部材データ入力処理と，
前記入力された建築構成部材データに基づいて，メーカーデータテーブルを検索するメーカーデータテーブル検索処理と，
前記メーカーデータテーブルの検索結果に基づいて，前記建築構成部材データをメーカーが使用するデータコードに変換してメーカーデータを作成するメーカーデータ変換処理と，
前記作成されたメーカーデータを出力するメーカーデータ出力処理とをコンピュータに実行させる
ことを特徴とする建築構成部材設計・製作情報一元化ＣＡＤシステムを実現するプログラム。
【発明の詳細な説明】
【０００１】
【発明の属する技術分野】
本発明は，ＣＡＤシステムに関し，特に，建物設計者が使用する建築構成部材の属性データをメーカー側が必要としているデータコードに自動的に変換する建築構成部材設計・製作情報一元化ＣＡＤシステム，建築構成部材設計・製作情報一元化ＣＡＤシステムを実現するプログラムに関する。
【０００２】
【従来の技術】
従来，メーカーは，施工会社が作成した図面を見て，納入する製品の製作図を作図していた。そして，例えば，メーカーが自社の製品のＣＡＤ情報をホームページで公開し，設計事務所や施工会社がそれを自己が作成する設計図に部品として取込むということが行われ始めている。
【０００３】
また，従来は，例えばタイル張り等に伴う窓幅の変更などの設計変更があった場合，製作図の作図段階で細々とした属性データの差異により固有の番号を付番し，その付番された製品とその取付け位置を１対１で対応させる作業を手作業で行ってきた。
【０００４】
なお，上記従来技術について記述した文献は特に見当たらない。
【０００５】
【発明が解決しようとする課題】
しかし，上記従来技術では，設計図あるいは施工図からメーカーが改めて製作図を起こすことが必要であったため，施工会社の生産設計図の寸法や仕様が作図者の読み取りミスや設計図あるいは施工図がメーカーに渡された後に発生した変更に伴う生産設計図の変更により正確に製作図に反映されないという問題があった。
【０００６】
また，上記ホームページで公開されたメーカーのＣＡＤ情報を施工会社等が自己が作成する設計図に部品として取込む技術においても，当該ＣＡＤ情報は，生産設計図，製作図として使用するに足る属性データを有しておらず，確認申請図の一般図レベルでの適用にとどまっていた。
【０００７】
一方，施工会社の生産設計図の寸法や仕様にそぐわないメーカーの製品仕様や規格寸法がある場合，生産設計図の変更が発生する。この場合，他の建築構成部材との納まり等も含め，数度の擦り合わせが発生し，専門知識をもった人間のチェックが必要となるが，その人間の能力差により現場ごとに品質のバラツキが発生するという問題がある。従来技術では，設計変更があった場合に，建物のどの位置のどの建築構成部材がどのように変更となったのかをメーカー側が把握できず，図面の不具合が発生しやすいからである。
【０００８】
そして，これらの作業は多くの時間と労力を必要とし，図面承認の遅れから工事遅延のリスクが増大したり，作業に掛かる経費が著しく増大することがある。また，ミスが発生した場合には建築構成部材の作り直しなどの予定外のコストが発生する。
【０００９】
本発明は，上記課題を解決し，建物設計者が入力した建築構成部材データ情報をメーカー側が必要としているコード形式の電子データ情報に変換して，変換した電子データ情報を直接メーカーに送信することが可能な建築構成部材設計・製作情報一元化ＣＡＤシステム，建築構成部材設計・製作情報一元化ＣＡＤシステムを実現するプログラムを提供することを目的とする。
【００１０】
【課題を解決するための手段】
上記課題を解決するため，本発明は，建物設計者が使用する属性データを付加できるＣＡＤシステム上に用意されたライブラリに基づいて，建物設計者が自ら設計上必要な項目を入力することでメーカー側が必要としているデータコードに自動的に変換する機能を付加する。生産設計図作成作業において，設計者が建築構成部材の所定の属性データを選択すると，この属性データをメーカーの製作システムの属性データに自動変換するのである。
【００１１】
また，本発明は，生産設計図の作成に当たり属性データ入力を行えば，その差異に応じてＣＡＤシステムが自動的に固有の番号を付番する。
【００１２】
さらに，本発明は，設計変更をした場合の図面不整合を防ぐために，建築構成部材リストの自動出力機能も付加する。
【００１３】
すなわち，本発明は，建物設計者が入力した建築構成部材に関するデータをメーカーが使用するデータコードに変換する機能を持つ建築構成部材設計・製作情報一元化ＣＡＤシステムであって，建築構成部材タイプを選択入力し，予め用意されたライブラリ群から前記選択入力された建築構成部材タイプに応じたライブラリを抽出する建築構成部材タイプ選択入力手段と，前記抽出されたライブラリに基づいて建築構成部材に関するデータを選択入力し，前記建物設計者が使用する建物設計データの一部として建築構成部材データを記録する建築構成部材データ入力手段と，前記入力された建築構成部材データに基づいて，メーカーデータテーブルを検索するメーカーデータテーブル検索手段と，前記メーカーデータテーブルの検索結果に基づいて，前記建築構成部材データをメーカーが使用するデータコードに変換してメーカーデータを作成するメーカーデータ変換手段と，前記作成されたメーカーデータを出力するメーカーデータ出力手段とを備えることを特徴とする。
【００１４】
また，本発明は，前記記録された建築構成部材データに基づいて，各建築構成部材に対して固有の番号を付する自動付番手段を備えることを特徴とする。
【００１５】
また，本発明において，前記自動付番手段は，前記入力された建築構成部材データの変更を確認する建築構成部材データ変更確認手段と，前記記録された建築構成部材データと前記建築構成部材データの変更の確認結果とに基づいて，建築構成部材データの変更のあった建築構成部材への枝番の付番または当該建築構成部材への新たな固有の番号の付番を行う手段とを備えることを特徴とする。
【００１６】
また，本発明のプログラムは，建物設計者が入力した建築構成部材データをメーカーが使用するデータコードに変換する建築構成部材設計・製作情報一元化ＣＡＤシステムを実現するプログラムであって，建築構成部材タイプを選択入力し，予め用意されたライブラリ群から前記選択入力された建築構成部材タイプに応じたライブラリを抽出する建築構成部材タイプ選択入力処理と，前記抽出されたライブラリに基づいて建築構成部材データを入力し，前記建物設計者が使用する建物設計データの一部として建築構成部材データを記録する建築構成部材データ入力処理と，前記入力された建築構成部材データに基づいて，メーカーデータテーブルを検索するメーカーデータテーブル検索処理と，前記メーカーデータテーブルの検索結果に基づいて，前記建築構成部材データをメーカーが使用するデータコードに変換してメーカーデータを作成するメーカーデータ変換処理と，前記作成されたメーカーデータを出力するメーカーデータ出力処理とをコンピュータに実行させることを特徴とする。
【００１７】
本発明を用いることにより，生産設計図とメーカーの製作情報が一元化されるため，施工会社の生産設計図の寸法や仕様を正確に製作図に反映することが可能となる。
【００１８】
また，本発明を用いることにより，設計変更があった場合に，建物のどの位置のどの建築構成部材がどのように変更となったのかをメーカー側が把握できるようになり，図面の不具合を防ぐことが可能となる。
【００１９】
従って，本発明を用いることにより，人的なミスとチェックにかかる時間を大幅に削減することが可能となる。
【００２０】
【発明の実施の形態】
以下，本発明の実施の形態について図面を用いて説明する。本発明は，建築構成部材に適用するものであり，例えば，建具，ユニットバス，システムキッチン，洗面化粧台などに適用することができる。ここでは，建具の適用方法について詳述する。
【００２１】
図１は，本発明に係る建築構成部材設計・製作情報一元化ＣＡＤシステムの構成の一例を示す図である。１は建築構成部材設計・製作情報一元化ＣＡＤシステム，１１は建物設計者が建具タイプ等の建築構成部材タイプを選択入力する建築構成部材タイプ選択入力手段，１２は建具データ等の建築構成部材データを入力し，建物設計者が使用する建物設計データの一部として建築構成部材データを記録する建築構成部材データ入力手段，１３は入力された建築構成部材データに基づいて，メーカーデータテーブルを検索するメーカーデータテーブル検索手段，１４はメーカーデータテーブルの検索結果に基づいて，前記建築構成部材データをメーカーが使用するデータコードに変換してメーカーデータを作成するメーカーデータ変換手段，１５は作成されたメーカーデータを出力するメーカーデータ出力手段である。
【００２２】
また，１６は各建築構成部材に対して固有番号および枝番を付番する自動付番手段，１７は建物設計者が使用する建具表等の建築構成部材表を出力する建築構成部材表出力手段，１８は建具リスト等の建築構成部材リストを出力する建築構成部材リスト出力手段，１９は各建築構成部材の属性情報が記録されたライブラリ，２０は入力された建築構成部材データに基づいて記録される建具データ等の建築構成部材データ，２１は各メーカーが必要とするデータコードが記録されているメーカーデータテーブル，２２は建具表データ等の建築構成部材表データ，２３は建築構成部材リスト，２４はメーカーデータである。
【００２３】
また，１６０は建築構成部材データの変更を確認する建築構成部材データ変更確認手段，１６１は建築構成部材データに変更があった場合に枝番または固有番号を付番する枝番・固有番号付番手段，１６２は建築構成部材データ２０の内容を更新する建築構成部材データ更新手段である。
【００２４】
以下に図１および図３乃至図１４を参照しつつ，図２に基づいて，本発明を用いた建具データ変換処理を説明する。図２は，本発明の建具データ変換処理フローを示す図である。まず，ライブラリ１９を用いた建物設計者による建具タイプの選択入力情報に基づいて建具タイプを決定する（ステップＳ１）。例えば，建物設計者が図５に示すライブラリの選択画面において「窓のロード」の項目をクリックすると，建具タイプとして窓タイプが決定される。
【００２５】
次に，決定された建具タイプの建具データの入力項目をライブラリ１９から抽出し（ステップＳ２），入力項目の選択メニュー（属性データ）表示を行う（ステップＳ３）。ステップＳ１における窓タイプの決定により，図３および図４に示すような窓ライブラリが抽出される。かかる窓ライブラリには，例えば建具種類として「ＳＷ」，「ＡＷ」等の属性データ，建具形式として「引違い」，「ＦＩＸ」，「開き」等の属性データ，窓種選択として「腰窓」，「掃き出し窓」等の属性データが用意されるというように，各選択入力項目に対応した属性データが格納されている。
【００２６】
ここで，窓ライブラリの抽出により，建物設計者の選択画面には，例えば図５に示すような建具データの入力項目の選択メニューが表示される。図５には，「ドア＿Ｓ」，「引違い＿Ｓ」，「引違い＋下ガラスブロック＿Ｓ」等の建具形式の選択メニューと，「掃き出し窓」等の窓種類の選択メニューと，選択された建具形式，窓種類に対応した幅（Ｗ），高さ（Ｈ）等の各種属性データの選択メニューが示される。
【００２７】
次に，建物設計者による入力項目の選択入力を受信すると（ステップＳ４），選択入力情報を建具データとして記録する（ステップＳ５）。例えば，建物設計者が，図５に示す選択入力画面において，建具形式として「引違い＿Ｓ」，窓種選択として「掃き出し窓」をクリックして選択することにより，図３および図４に示す窓ライブラリ中の属性データ項目において，建具種類として「ＡＷ」，建具番号として「３」（建具記号：ＡＷ−３），建具形式として「引違い」，窓種選択として「掃き出し窓」が選択入力される。
【００２８】
同様に，図５に示す選択画面中の建具形式，窓種類に対応した各種属性データの選択メニューにおいて必要な属性データ値を選択することを通じて，図３および図４に示す窓ライブラリ中の属性データとして，開口幅Ｗ＝「１２２０」，開口高さＨ＝「１５５５」，勝手「無」，遮音「Ｔ−１」等が選択入力される。そして，上記選択入力情報は，例えば図６および図７に示す建具データとして記録される。
【００２９】
次に，記録された建具データに基づいて，各建具に対して固有番号を付番する（ステップＳ６）。例えば，図８に示すように，建物設計者が画面中で選択した建具形式「引違い」の姿図をＣＡＤ図面上において矢印のようにドラッグアンドドロップすると，当該建具に対して固有番号「０５００００２」が自動付番される。
【００３０】
建具に付番される固有番号のコード詳細の一例については，図９に示され，例えばフロア番号，建具識別コード（０：窓，１：ドア）およびフロア内の連番からなる７桁のデータ形式である。ＣＡＤ図面上においては，例えば図１０に示すように，フロア番号が１で建具形式が窓でフロア内の連番が８であることを示す固有番号「０１００００８」およびフロア内の連番が７であることを示す固有番号「０１００００７」が付番される。
【００３１】
また，上記のように，図１０において，各固有番号の上部の円内に示す数字「＋９００」は，スラブ（床）レベルから計測した窓の腰の高さ，「１，９５０」は，窓の開口高さ（Ｈ），「ＡＷ−３」および「ＡＷ−４」は建具記号を表している。なお，同じ建具記号について，異なる建具データが入力された場合には，後述するように，当該建具に枝番が付番される。
【００３２】
次に，メーカーデータテーブル２１を検索する（ステップＳ７）。メーカーデータテーブル２１は図１１に示され，例えば，窓種として「腰窓」「掃き出し窓」等の属性データ，窓種コードとして「Ｕ２」，「ＵＢ」，「ＵＡ」等の属性データ，勝手として「Ｘ」（無），「Ｌ」（左型），「Ｒ」（右型）という属性データが用意されるというように，各項目に対応した属性データが格納されている。
【００３３】
ここで，建具データとメーカーデータテーブル２１とは，例えば建具データの建具形式，窓種，法規制，強さ，遮音等の項目が，それぞれメーカーデータテーブル２１の窓タイプ，窓種・窓種コード，防火コード，強度コード，防音コード等に対応している。従って，例えば，メーカーデータテーブル２１において，ステップＳ５で記録された建具データの建具形式「引違い」に対応する窓タイプ，窓種「掃き出し窓」に対応する窓種・窓種コード，「法規制なし」に対応する防火コード等が検索される。
【００３４】
そして，検索結果に基づいてメーカーデータ２４を作成する（ステップＳ８）。例えば，図１１に示すメーカーデータテーブル２１の属性データ項目において，窓タイプ「引違い」，窓種「掃き出し窓」，窓種コード「ＵＢ」，勝手「Ｘ」，防火コード「Ｓ」，防音コード「Ｂ」等が自動選択されることにより，図１２に示すようなメーカーデータ２４が作成される。
【００３５】
図１２に示すメーカーデータ２４は，連番，窓番，窓タイプ，窓種，窓種コード，シリーズ，勝手，コーナー，強度，防火，防音，総Ｗ，総Ｈ，Ｗ，Ｈ，ＦＬ，間口，抱き，金具，網戸の項目に対応したデータである。連番は，建具データにおける固有番号に対応している。
【００３６】
例えば，図１２のメーカーデータ２４の最初に示す建具の連番「５００００２」は当該建具が置かれるフロア番号が５，建具形式が「窓」，フロア内の連番が２であることを示しており，窓タイプ「引違い」は建具形式が引違いであること，窓種「掃き出し窓」，窓種コード「ＵＢ」は窓種が掃き出し窓であること，勝手「Ｘ」は勝手が無いことを示している。
【００３７】
次に，建具データの入力項目が終了したかを判断し（ステップＳ９），終了した場合は，建具表データを出力し（ステップＳ１０），建具リストを出力するとともに（ステップＳ１１），メーカーデータ２４を出力する（ステップＳ１２）。建具データの入力項目が終了していない場合には，ステップＳ２に戻る。
【００３８】
建具表データは，図１３に示され，建具形式に対応した建具記号，建具の形状，数量等の項目から構成される。例えば，建具記号「ＡＷ−１」は，「片引き＋ＦＩＸ」でアルミサッシの建具の記号を表し，「ＡＷ−２」は「２連引違い」でアルミサッシの建具の記号を表し，「ＡＷ−３」は「引き違い」でアルミサッシの建具の記号を表している。
【００３９】
また，建具リストは，図１４に示され，例えば固有の番号である番地，フロア，住戸タイプ，室名，形状，Ｗ，Ｈ，個数，ガラス種類，ガラス厚等の項目から構成される。なお，番地は，フロア番号と識別コードと連番で構成される番号である。
【００４０】
図１５は，建具の枝番，固有番号作成処理フローの詳細を示す図である。まず，新規付番コマンドが入力されたかを判断し（ステップＳ２１），新規付番コマンドが入力された場合には，同じ建具記号で初期設定と属性データの異なるものを建具データにおいて検索し（ステップＳ２２），初期設定と属性データの異なる建具について枝番を付番する。また，各建具には固有番号が付番される（ステップＳ２３）。例えば，設計変更前の建具記号がＡＷ−３である場合，設計変更された建具についてＡＷ−３−１というように枝番を付番する。そして，建具データの内容を更新して（ステップＳ２４），処理を終了する。
【００４１】
次に，新規付番コマンドが入力されていない場合には，変更コマンドが入力されたかを判断し（ステップＳ２５），変更コマンドが入力された場合には，新たに選択入力された建具の建具記号が現在の建具記号と同じかを判断する（ステップＳ２６）。建具記号が同じ場合には，現在の最終枝番を１インクリメントし（ステップＳ２７），新たに選択入力された建具の建具記号に当該枝番を付番し，（ステップＳ２８），処理を終了する。
【００４２】
例えば，現在の建具記号がＡＷ−５−１である建具の属性データが変更された場合，現時点で１０番まで枝番がふられていたとすると，最終枝番は１０＋１＝１１となり，新たにＡＷ−５−１１が付番される。枝番＝１は欠番となる。変更コマンドが入力されていない場合にはステップＳ２１に戻る。
【００４３】
次に，設計変更後の建具の建具記号が設計変更前の建具記号と異なる場合には，当該選択入力された建具に新しい固有番号を付番する（ステップＳ２９）。そして，設計変更前の建具の固有番号を欠番にして（ステップＳ３０），処理を終了する。例えば図１６に示す建具リストにおいて，建具がＡＷ３からＡＷ４に設計変更されると，この設計変更後の建具（ＡＷ４）に新たな固有番号である５０００１１が付番され，設計変更前の建具（ＡＷ３）の固有番号は欠番となる。
【００４４】
本発明を用いることにより，設計変更があって枝番が変わっても，その建具の固有番号を検索することで，その建具が設計変更されたことが判別できる。また，その建具そのものが別の種類の建具に変更した場合は，設計変更前の建具の固有番号が欠番となり，新たな固有番号が付番されるので，どの建具が別の種類の建具に変わったか判別できる。
【００４５】
【発明の効果】
本発明を用いることにより，生産設計図とメーカーの製作情報が一元化されるため，施工会社の生産設計図の寸法や仕様を正確に製作図に反映することが可能となる。
【００４６】
また，本発明を用いることにより，設計変更があった場合に，建物のどの位置のどの建具がどのように変更となったのかをメーカー側が把握できるようになり，図面の不具合を防ぐことが可能となる。
【００４７】
従って，本発明を用いることにより，建築構成部材の製作図作成コストの低減，製作図作成のミスの低減，設計段階での正確なコストコントロールおよび事業計画スケジュール内における構成部材の早期決定による工程遅延リスクの低減を図ることができる。
【図面の簡単な説明】
【図１】建築構成部材設計・製作情報一元化ＣＡＤシステムを示す図である。
【図２】建具データ変換処理フローを示す図である。
【図３】窓ライブラリを示す図である。
【図４】窓ライブラリを示す図である。
【図５】建物設計者の選択画面を示す図である。
【図６】建具データを示す図である。
【図７】建具データを示す図である。
【図８】建具に対する固有番号の自動付番を示す図である。
【図９】建具に付番される固有番号のコード詳細の一例を示す図である。
【図１０】ＣＡＤ図面上に付番される固有番号を示す図である。
【図１１】メーカーデータテーブルを示す図である。
【図１２】メーカーデータを示す図である。
【図１３】建具表データを示す図である。
【図１４】建具リストを示す図である。
【図１５】建具の枝番，固有番号作成処理フローの詳細を示す図である。
【図１６】設計変更の場合の固有番号の付番を示す図である。
【符号の説明】
１  建築構成部材設計・製作情報一元化ＣＡＤシステム
１１  建築構成部材タイプ選択入力手段
１２  建築構成部材データ入力手段
１３  メーカーデータテーブル検索手段
１４  メーカーデータ変換手段
１５  メーカーデータ出力手段
１６  自動付番手段
１７  建築構成部材表出力手段
１８  建築構成部材リスト出力手段
１９  ライブラリ
２０  建築構成部材データ
２１  メーカーデータテーブル
２２  建築構成部材表データ
２３  建築構成部材リスト
２４  メーカーデータ
１６０  建築構成部材データ変更確認手段
１６１  枝番・固有番号付番手段
１６２  建築構成部材データ更新手段
【図１】
2004206193.tif 000003
【図２】
2004206193.tif 000004
【図３】
2004206193.tif 000005
【図４】
2004206193.tif 000006
【図５】
2004206193.tif 000007
【図６】
2004206193.tif 000008
【図７】
2004206193.tif 000009
【図８】
2004206193.tif 000010
【図９】
2004206193.tif 000011
【図１０】
2004206193.tif 000012
【図１１】
2004206193.tif 000013
【図１２】
2004206193.tif 000014
【図１３】
2004206193.tif 000015
【図１４】
2004206193.tif 000016
【図１５】
2004206193.tif 000017
【図１６】
2004206193.tif 000018